(57)【要約】【課題】ＬＥＤドライバの数とコントローラからの信号の本数とを減少させることにより、コストダウンを実現することができるＬＥＤバックライトシステムを提供する。【解決手段】それぞれがＬＥＤ素子を含む複数のＬＥＤモジュール１からなるＬＥＤバックライト２と、複数のＬＥＤモジュール１に駆動電流を供給するＬＥＤドライバ３と、複数のＬＥＤモジュール１の駆動を制御するためのコントロール信号を出力するコントローラ４とを備え、複数のＬＥＤモジュール１の各々は、駆動電流をＬＥＤ素子に流すか否かをスイッチ回路６と、コントロール信号に基づいて、スイッチ回路６を制御するスイッチ制御回路７とを含み、スイッチ制御回路７は、コントロール信号をカスケードして次段のＬＥＤモジュール１に出力するものである。【選択図】図２
2008159450.tif 000002
【特許請求の範囲】
【請求項１】
それぞれがＬＥＤ素子を含む複数のＬＥＤモジュールからなるＬＥＤバックライトと、
前記複数のＬＥＤモジュールに駆動電流を供給するＬＥＤドライバと、
前記複数のＬＥＤモジュールの駆動を制御するためのコントロール信号を出力するコントローラとを備え、
前記複数のＬＥＤモジュールの各々は、
前記駆動電流を前記ＬＥＤ素子に流すか否かを切り替える切り替え手段と、
前記コントロール信号に基づいて、前記切り替え手段を制御する切り替え制御手段とを含み、
前記切り替え制御手段は、前記コントロール信号をカスケードして次段のＬＥＤモジュールに出力すること
を特徴とするＬＥＤバックライトシステム。
【請求項２】
前記コントロール信号は、オン制御信号、オフ制御信号、シフト制御信号およびクロック信号を含み、
前記切り替え制御手段は、前記オン制御信号、前記オフ制御信号および前記クロック信号をそのまま次段のＬＥＤモジュールに出力するとともに、前記シフト制御信号を少なくとも１クロックサイクル遅延させて次段のＬＥＤモジュールに出力すること
を特徴とする請求項１に記載のＬＥＤバックライトシステム。
【請求項３】
前記複数のＬＥＤモジュールは、それぞれ直列接続された複数のＬＥＤ素子を含むことを特徴とする請求項１または請求項２に記載のＬＥＤバックライトシステム。
【請求項４】
前記ＬＥＤ素子と、前記切り替え手段と、前記切り替え制御手段とは、ＩＣとして１チップに構成されていることを特徴とする請求項１から請求項３までの何れか１項に記載のＬＥＤバックライトシステム。
【発明の詳細な説明】
【技術分野】
【０００１】
この発明は、ＬＥＤバックライトを複数の発光領域に分割し、エリアコントロールによって発光領域ごとの輝度を制御するＬＥＤバックライトシステムに関する。
【背景技術】
【０００２】
従来より、ＬＥＤ素子を複数個配列して、液晶パネルの光源となるＬＥＤバックライトを構成することが知られている。また、コントラスト比を高くするために、ＬＥＤバックライトを複数の発光領域に分割して、発光領域ごとの輝度を制御するエリアコントロールが知られている。
【０００３】
図６は、一般的なＬＥＤバックライトシステムを示すブロック図である。
図６において、このＬＥＤバックライトシステムは、ＬＥＤブロック５１（後述する）が複数個配列されて構成されたＬＥＤバックライト５２と、それぞれのＬＥＤブロック５１に対応して設けられ、ＬＥＤブロック５１に駆動電流を供給する複数個のＬＥＤドライバ５３と、それぞれのＬＥＤブロック５１に対して点灯または消灯の制御信号を出力するコントローラ５４とを備えている（例えば、特許文献１参照）。
【０００４】
ＬＥＤブロック５１は、複数個のＬＥＤ素子（図示せず）が直列接続されて構成されている。また、ＬＥＤバックライト５２は、エリアコントロールをするためにｍ×ｎブロックの発光領域に分割されており、それぞれの発光領域に対応してｍ×ｎ個のＬＥＤブロック５１が設けられている。
ＬＥＤドライバ５３は、ｍ×ｎ個のＬＥＤブロック５１に対応してｍ×ｎ個設けられている。また、コントローラ５４は、ｍ×ｎ個のＬＥＤブロック５１に対してｍ×ｎ本の制御信号を出力する。
【０００５】
ここで、ＬＥＤ素子は、白色のＬＥＤ素子であってもよいし、赤色（Ｒ）、緑色（Ｇ）および青色（Ｂ）の各ＬＥＤ素子がパッケージングされたものであってもよい。
なお、赤色（Ｒ）、緑色（Ｇ）および青色（Ｂ）の各ＬＥＤ素子をそれぞれ個別に制御する場合には、ｍ×ｎ個の３倍のＬＥＤドライバ５３が必要になり、ｍ×ｎ本の３倍の制御信号が必要になる。
【０００６】
【特許文献１】特開２００５−２５８４０３号公報
【発明の開示】
【発明が解決しようとする課題】
【０００７】
上記のＬＥＤバックライトシステムでは、それぞれのＬＥＤブロック５１に対応してＬＥＤドライバ５３を設ける必要があるので、ＬＥＤドライバの数が多くなってコストが高くなるという問題点があった。
また、それぞれのＬＥＤブロック５１に対してスイッチコントロール信号を出力する必要があるので、信号の本数が多くなってコストが高くなるという問題点があった。
【０００８】
そこで、この問題点を解決するために、上記のＬＥＤブロックと、コントローラからの信号に応じてＬＥＤブロックに駆動電流を流すか否かを切り替えるスイッチ回路とを組み合わせてＬＥＤユニットを構成し、複数個のＬＥＤユニットを１つのＬＥＤドライバに接続することにより、ＬＥＤドライバの数を減少させることが考えられる。
【０００９】
図７は、ＬＥＤドライバの数を減少させたＬＥＤバックライトシステムの要部を示すブロック図である。
図７において、ＬＥＤドライバ５５には、２つのＬＥＤユニット５６Ａ、５６Ｂが接続されている。図７では、２つのＬＥＤユニット５６Ａ、５６Ｂのみが図示されているが、ＬＥＤユニット５６Ｂには、さらに別のＬＥＤユニットが接続されているとする。ＬＥＤドライバ５５からの駆動電流は、複数個のＬＥＤユニットに供給される。
なお、ＬＥＤユニットは、ＬＥＤバックライトのそれぞれの発光領域に対応して設けられている。また、１つのＬＥＤドライバ５５に接続されるＬＥＤユニットの数は、ＬＥＤユニットあたりの電圧降下等を考慮して決定される。
【００１０】
ＬＥＤユニット５６Ａ、５６Ｂは、図６に示したＬＥＤブロック５１と、コントローラ５７（後述する）からの信号に応じてＬＥＤブロック５１に駆動電流を流すか否かを切り替えるスイッチ回路５８とをそれぞれ含んでいる。
また、スイッチ回路５８は、オン状態のときにＬＥＤブロック５１に駆動電流を流す第１スイッチｓｗ１と、オン状態のときにＬＥＤブロック５１に駆動電流を流さない第２スイッチｓｗ２とから構成されている。
【００１１】
コントローラ５７は、それぞれのＬＥＤユニット５６Ａ、５６Ｂに対して、スイッチ回路５８を切り替えるためのスイッチコントロール信号を出力する。すなわち、コントローラ５７は、ＬＥＤバックライトのそれぞれの発光領域に対応した本数のスイッチコントロール信号を出力する。
なお、第１スイッチｓｗ１および第２スイッチｓｗ２に入力されるスイッチコントロール信号は、互いに反転の関係にある。そのため、スイッチコントロール信号は、分割されて一方がインバータ５９で反転され、それぞれ第１スイッチｓｗ１および第２スイッチｓｗ２に入力される。
【００１２】
しかしながら、図７に示したＬＥＤバックライトシステムでは、ＬＥＤドライバの数を減少させることはできるものの、それぞれのＬＥＤユニットに対してスイッチコントロール信号を出力する必要があるので、信号の本数が多くなってコントローラが高機能化し、コストが高くなるという問題点があった。
【００１３】
この発明は、上記のような問題点を解決することを課題とするものであって、その目的は、ＬＥＤドライバの数を減少させるとともに、コントローラからの信号の本数を減少させることにより、コストダウンを実現することができるＬＥＤバックライトシステムを提供することにある。
【課題を解決するための手段】
【００１４】
この発明に係るＬＥＤバックライトシステムは、それぞれがＬＥＤ素子を含む複数のＬＥＤモジュールからなるＬＥＤバックライトと、複数のＬＥＤモジュールに駆動電流を供給するＬＥＤドライバと、複数のＬＥＤモジュールの駆動を制御するためのコントロール信号を出力するコントローラとを備え、複数のＬＥＤモジュールの各々は、駆動電流をＬＥＤ素子に流すか否かを切り替える切り替え手段と、コントロール信号に基づいて、切り替え手段を制御する切り替え制御手段とを含み、切り替え制御手段は、コントロール信号をカスケードして次段のＬＥＤモジュールに出力するものである。
【発明の効果】
【００１５】
この発明のＬＥＤバックライトシステムによれば、複数個のＬＥＤドライバは、それぞれが少なくとも２個以上のＬＥＤモジュールに駆動電流を供給し、ＬＥＤモジュールは、コントローラからのコントロール信号をカスケードして次段のＬＥＤモジュールに出力する切り替え制御手段を含んでいる。
そのため、ＬＥＤドライバの数を減少させるとともに、コントローラからの信号の本数を減少させることができ、コストダウンを実現することができる。
また、ＬＥＤブロックと、切り替え手段と、切り替え制御手段とがＬＥＤモジュールとしてパッケージングされているので、配線が省略されるとともに実装が容易になり、さらなるコストダウンを実現することができる。
【発明を実施するための最良の形態】
【００１６】
以下、この発明の各実施の形態について図に基づいて説明するが、各図において同一、または相当する部材、部位については、同一符号を付して説明する。
【００１７】
実施の形態１．
以下、図面を参照しながら、この発明の実施の形態１について詳細に説明する。
図１は、この発明の実施の形態１に係るＬＥＤバックライトシステムを示すブロック図である。
図１において、このＬＥＤバックライトシステムは、複数個のＬＥＤモジュール１（後述する）が配列されて構成されたＬＥＤバックライト２と、複数個のＬＥＤモジュール１に駆動電流を供給する複数個のＬＥＤドライバ３と、ＬＥＤモジュール１の駆動を制御するためのコントロール信号を出力するコントローラ４とを備えている。
ＬＥＤバックライト２は、ｍ×ｎブロックの発光領域に分割され、それぞれの発光領域に対応してｍ×ｎ個のＬＥＤモジュール１が設けられている。
【００１８】
図２は、この発明の実施の形態１に係るＬＥＤバックライトシステムの要部を示すブロック図である。
図２において、ＬＥＤドライバ３には、２つのＬＥＤモジュール１Ａ、１Ｂが接続されている。図２では、２つのＬＥＤモジュール１Ａ、１Ｂのみが図示されているが、ＬＥＤモジュール１Ｂには、さらに別のＬＥＤモジュールが接続されているとする。ＬＥＤドライバ３からの駆動電流は、複数個のＬＥＤモジュールに供給される。
なお、１つのＬＥＤドライバ３に接続されるＬＥＤモジュールの数は、ＬＥＤモジュールあたりの電圧降下等を考慮して決定される。
【００１９】
ＬＥＤモジュール１Ａ、１Ｂは、複数個のＬＥＤ素子（図示せず）が直列接続されて構成されたＬＥＤブロック５と、ＬＥＤドライバ３からの駆動電流をＬＥＤブロック５に流すか否かを切り替えるスイッチ回路６（切り替え手段）と、コントローラ４からのコントロール信号に基づいて、スイッチ回路６を制御するスイッチ制御回路７（切り替え制御手段）と、入力された信号を反転するインバータ８とをそれぞれ含んでいる。
【００２０】
また、スイッチ回路６は、オン状態のときにＬＥＤブロック５に駆動電流を流す第１スイッチｓｗ１と、オン状態のときにＬＥＤブロック５に駆動電流を流さない第２スイッチｓｗ２とから構成されている。
ここで、ＬＥＤブロック５と、スイッチ回路６と、スイッチ制御回路７と、インバータ８とは、ＩＣとして１チップに構成されている。
なお、ＬＥＤモジュール１は、１つのＬＥＤ素子のみを含んでいてもよく、この場合には、ＬＥＤバックライト２の発光領域を増やすことができる。
【００２１】
また、コントローラ４は、ＬＥＤモジュール１Ａのスイッチ制御回路７に対してのみ、コントロール信号を出力する。
ＬＥＤモジュール１Ａのスイッチ制御回路７は、コントローラ４から出力されたコントロール信号に基づいてスイッチ回路６を制御するスイッチ制御信号を出力するとともに、コントロール信号をカスケードしてＬＥＤモジュール１Ｂに出力する。
ＬＥＤモジュール１Ｂのスイッチ制御回路７は、ＬＥＤモジュール１Ａから出力されたコントロール信号に基づいてスイッチ回路６を制御するスイッチ制御信号を出力するとともに、コントロール信号をカスケードして次段のＬＥＤモジュールに出力する。
【００２２】
図３は、この発明の実施の形態１に係るスイッチ制御回路７を詳細に示す回路図である。
図３において、スイッチ制御回路７は、アンド回路９と、ＪＫフリップフロップ１０（以下、「ＪＫＦＦ１０」と略称する）と、Ｄフリップフロップ１１（以下、「ＤＦＦ１１」と略称する）とを有している。
また、コントロール信号は、オン制御信号、オフ制御信号、シフト制御信号およびクロック信号の４本の信号を含んでいる。
【００２３】
アンド回路９には、オフ制御信号とシフト制御信号とが入力され、アンド回路９の出力信号は、ＪＫＦＦ１０のＫ端子に入力される。ＪＫＦＦ１０のＪ端子には、オン制御信号が入力され、Ｃ端子には、クロック信号が入力される。また、ＪＫＦＦ１０のＱ端子からは、スイッチ制御信号が出力される。
【００２４】
したがって、「Ｈ（ハイ）」状態のオン制御信号とクロック信号とが同期した場合に、スイッチ制御信号が「Ｈ」状態で出力されて第１スイッチｓｗ１がオン状態となり、ＬＥＤブロック５が点灯する。
このとき、「Ｈ」状態のオフ制御信号および「Ｈ」状態のシフト制御信号（すなわち、アンド回路９からの「Ｈ」状態の出力信号）と、クロック信号とが同期すると、スイッチ制御信号が「Ｌ（ロー）」状態で出力されて第２スイッチｓｗ２がオン状態となり、ＬＥＤブロック５が消灯する。
【００２５】
また、ＤＦＦ１１のＤ端子には、シフト制御信号が入力され、Ｃ端子には、クロック信号が入力される。また、ＪＫＦＦ１０のＱ端子からは、１クロックサイクル遅延したシフト制御信号が出力される。
すなわち、クロック信号の立ち上がり時にシフト制御信号が「Ｈ」状態であれば、シフト制御信号が「Ｈ」状態で出力され、クロック信号の立ち上がり時にシフト制御信号が「Ｌ」状態であれば、シフト制御信号が「Ｌ」状態で出力される。
【００２６】
このスイッチ制御回路７において、入力されたコントロール信号のうち、オン制御信号、オフ制御信号およびクロック信号は、そのまま出力され、シフト制御信号は、１クロックサイクル遅延して出力される。
スイッチ制御回路７から出力されるオン制御信号、オフ制御信号およびクロック信号と、１クロックサイクル遅延したシフト制御信号とは、次段のＬＥＤモジュール１のスイッチ制御回路７に入力される。
【００２７】
続いて、上記構成のＬＥＤバックライトシステムの動作について説明する。
ここでは、簡単のため、図４に示すように、４つの発光領域に分割され、４個のＬＥＤモジュール１Ａ〜１Ｄが配列されたＬＥＤバックライト２を例にして説明する。
ＬＥＤモジュール１Ａには、オン制御信号、オフ制御信号、シフト制御信号およびクロック信号の４本の信号を含むコントロール信号が入力されるが、図４では、シフト制御信号Ｓ１のみを示している。
なお、オン制御信号、オフ制御信号およびクロック信号は、ＬＥＤモジュール１Ａ〜１Ｄの全てに同時に入力される。
【００２８】
図４において、ＬＥＤモジュール１Ａに入力されたシフト制御信号Ｓ１は、１クロックサイクル遅延したシフト制御信号Ｓ２として出力され、ＬＥＤモジュール１Ｂに入力される。同様にして、ＬＥＤモジュール１ＣおよびＬＥＤモジュール１Ｄには、シフト制御信号Ｓ２が１クロックサイクル遅延したシフト制御信号Ｓ３、およびシフト制御信号Ｓ３が１クロックサイクル遅延したシフト制御信号Ｓ４がそれぞれ入力される。
【００２９】
図５は、この発明の実施の形態１に係るＬＥＤバックライトシステムの動作を示すタイミングチャートである。なお、クロック信号は簡単のために図示を省略している。
ここで、時刻ｔ１において、ＬＥＤモジュール１Ａ〜１ＤのＬＥＤブロック５を全て点灯させ、時刻ｔ２でＬＥＤモジュール１Ｂ、時刻ｔ３でＬＥＤモジュール１Ｃ、時刻ｔ４でＬＥＤモジュール１Ｄ、時刻ｔ５でＬＥＤモジュール１ＡのＬＥＤブロック５をそれぞれ消灯するとする。
【００３０】
まず、時刻ｔ１において、コントローラ４は、オン制御信号を「Ｈ」状態で出力し、ＬＥＤモジュール１Ａ〜１ＤのＪＫＦＦ１０のＪ端子には、オン制御信号が「Ｈ」状態で入力される。したがって、ＬＥＤモジュール１Ａ〜１ＤのＪＫＦＦ１０のＱ端子からは、スイッチ制御信号が「Ｈ」状態で出力されて、ＬＥＤモジュール１Ａ〜１ＤのＬＥＤブロック５が全て点灯する。
【００３１】
続いて、ＬＥＤモジュール１ＢのＬＥＤブロック５を消灯する時刻ｔ２において、コントローラ４は、オフ制御信号を「Ｈ」状態で出力する。また、コントローラ４は、ＬＥＤモジュール１Ａにおける遅延時間を考慮して、時刻ｔ２よりも１クロックサイクル早いタイミングでＬＥＤモジュール１Ａにシフト制御信号Ｓ１を出力する。
このとき、ＬＥＤモジュール１Ｂのアンド回路９には、オフ制御信号およびシフト制御信号Ｓ２がともに「Ｈ」状態で入力され、ＬＥＤモジュール１ＢのＪＫＦＦ１０のＫ端子には、アンド回路９からの出力信号が「Ｈ」状態で入力される。したがって、ＬＥＤモジュール１ＢのＪＫＦＦ１０のＱ端子からは、スイッチ制御信号が「Ｌ」状態で出力されて、ＬＥＤモジュール１ＢのＬＥＤブロック５が消灯する。
【００３２】
次に、ＬＥＤモジュール１ＣのＬＥＤブロック５を消灯する時刻ｔ３において、コントローラ４は、オフ制御信号を「Ｈ」状態で出力する。また、コントローラ４は、ＬＥＤモジュール１ＡおよびＬＥＤモジュール１Ｂにおける遅延時間を考慮して、時刻ｔ３よりも２クロックサイクル早いタイミングでＬＥＤモジュール１Ａにシフト制御信号Ｓ１を出力する。
このとき、ＬＥＤモジュール１Ｃのアンド回路９には、オフ制御信号およびシフト制御信号Ｓ３がともに「Ｈ」状態で入力され、ＬＥＤモジュール１ＣのＪＫＦＦ１０のＫ端子には、アンド回路９からの出力信号が「Ｈ」状態で入力される。したがって、ＬＥＤモジュール１ＣのＪＫＦＦ１０のＱ端子からは、スイッチ制御信号が「Ｌ」状態で出力されて、ＬＥＤモジュール１ＣのＬＥＤブロック５が消灯する。
【００３３】
続いて、ＬＥＤモジュール１ＤのＬＥＤブロック５を消灯する時刻ｔ４において、コントローラ４は、オフ制御信号を「Ｈ」状態で出力する。また、コントローラ４は、ＬＥＤモジュール１Ａ、ＬＥＤモジュール１ＢおよびＬＥＤモジュール１Ｃにおける遅延時間を考慮して、時刻ｔ４よりも３クロックサイクル早いタイミングでＬＥＤモジュール１Ａにシフト制御信号Ｓ１を出力する。
このとき、ＬＥＤモジュール１Ｄのアンド回路９には、オフ制御信号およびシフト制御信号Ｓ４がともに「Ｈ」状態で入力され、ＬＥＤモジュール１ＤのＪＫＦＦ１０のＫ端子には、アンド回路９からの出力信号が「Ｈ」状態で入力される。したがって、ＬＥＤモジュール１ＤのＪＫＦＦ１０のＱ端子からは、スイッチ制御信号が「Ｌ」状態で出力されて、ＬＥＤモジュール１ＤのＬＥＤブロック５が消灯する。
【００３４】
次に、ＬＥＤモジュール１ＡのＬＥＤブロック５を消灯する時刻ｔ５において、コントローラ４は、オフ制御信号を「Ｈ」状態で出力する。また、コントローラ４は、遅延時間を考慮する必要がないので、オフ制御信号と同じタイミングでＬＥＤモジュール１Ａにシフト制御信号Ｓ１を出力する。
このとき、ＬＥＤモジュール１Ａのアンド回路９には、オフ制御信号およびシフト制御信号Ｓ１がともに「Ｈ」状態で入力され、ＬＥＤモジュール１ＡのＪＫＦＦ１０のＫ端子には、アンド回路９からの出力信号が「Ｈ」状態で入力される。したがって、ＬＥＤモジュール１ＡのＪＫＦＦ１０のＱ端子からは、スイッチ制御信号が「Ｌ」状態で出力されて、ＬＥＤモジュール１ＡのＬＥＤブロック５が消灯する。
【００３５】
この発明の実施の形態１に係るＬＥＤバックライトシステムによれば、複数個のＬＥＤドライバ３は、それぞれが少なくとも２個以上のＬＥＤモジュール１に駆動電流を供給し、ＬＥＤモジュール１は、コントローラ４からのコントロール信号をカスケードして次段のＬＥＤモジュール１に出力するスイッチ制御回路７を含んでいる。
そのため、ＬＥＤドライバ３の数を減少させるとともに、コントローラ４からの信号の本数を減少させることができ、コストダウンを実現することができる。
また、ＬＥＤブロック５と、スイッチ回路６と、スイッチ制御回路７と、インバータ８とがＬＥＤモジュール１としてパッケージングされているので、配線が省略されるとともに実装が容易になり、さらなるコストダウンを実現することができる。
【００３６】
また、スイッチ制御回路７は、オン制御信号、オフ制御信号およびクロック信号をそのまま次段のＬＥＤモジュールに出力するとともに、シフト制御信号を１クロックサイクル遅延させて次段のＬＥＤモジュールに出力する。
そのため、４本の信号でスイッチ回路６を切り替えてＬＥＤブロック５の点灯あるいは消灯を制御することができるので、高機能なコントローラ４を必要とせず、さらなるコストダウンを実現することができる。
なお、スイッチ制御回路７は、シフト制御信号を２クロックサイクル以上遅延させてもよい。この場合も、同様の効果を奏することができる。
【００３７】
また、ＬＥＤブロック５と、スイッチ回路６と、スイッチ制御回路７と、インバータ８とは、ＩＣとして１チップに構成されているので、実装が容易になり、さらなるコストダウンを実現することができる。
【図面の簡単な説明】
【００３８】
【図１】この発明の実施の形態１に係るＬＥＤバックライトシステムを示すブロック図である。
【図２】この発明の実施の形態１に係るＬＥＤバックライトシステムの要部を示すブロック図である。
【図３】この発明の実施の形態１に係るスイッチ制御回路を詳細に示す回路図である。
【図４】この発明の実施の形態１に係るＬＥＤバックライトシステムの動作を説明するためのＬＥＤバックライトを示すブロック図である。
【図５】この発明の実施の形態１に係るＬＥＤバックライトシステムの動作を示すタイミングチャートである。
【図６】一般的なＬＥＤバックライトシステムを示すブロック図である。
【図７】ＬＥＤドライバの数を減少させたＬＥＤバックライトシステムの要部を示すブロック図である。
【符号の説明】
【００３９】
１、１Ａ〜１Ｄ  ＬＥＤモジュール、２  ＬＥＤバックライト、３  ＬＥＤドライバ、４  コントローラ、５  ＬＥＤブロック、６  スイッチ回路（切り替え手段）、７  スイッチ制御回路（切り替え制御手段）、８  インバータ、９  アンド回路、１０  ＪＫフリップフロップ、１１  Ｄフリップフロップ。
【図１】
2008159450.tif 000003
【図２】
2008159450.tif 000004
【図３】
2008159450.tif 000005
【図４】
2008159450.tif 000006
【図５】
2008159450.tif 000007
【図６】
2008159450.tif 000008
【図７】
2008159450.tif 000009